【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
ユーザのデータ生成操作によりデータを生成する生成手段と、
前記データを情報管理装置へ送信する通信手段と、
前記データが生成されてからユーザによる公開キャンセル操作が可能な規定時間を設定する設定手段とを有し、
前記通信手段は、ユーザによるキャンセル操作が行われずに前記規定時間が経過した場合に、他の情報処理装置に前記データを公開することを許可する通知を前記情報管理装置に送信することを特徴とする情報処理装置。
【請求項２】
ユーザによる前記データ生成操作を検知する検知手段を更に備え、
前記通信手段は、前記規定時間が経過する前に前記検知手段により前記データ生成操作が検知された段階で、前記データを公開することを許可する通知を前記情報管理装置に送信することを特徴とする請求項１に記載の情報処理装置。
【請求項３】
ユーザによる前記データ生成操作を検知する検知手段を更に備え、
前記設定手段は、前記規定時間が経過する前に前記検知手段により前記データ生成操作が検知された段階で、他の規定時間を設定し、
前記通信手段は、ユーザによるキャンセル操作が行われずに前記他の規定時間が経過した場合に、前記データを公開することを許可する通知を前記情報管理装置に送信することを特徴とする請求項１に記載の情報処理装置。
【請求項４】
ユーザのデータ生成操作によりデータを生成する生成手段と、
前記データを情報管理装置へ送信する通信手段と、
前記データが生成されてからユーザによる公開キャンセル操作が可能な規定時間を設定する設定手段とを有し、
前記通信手段は、前記規定時間の間にユーザによるキャンセル操作が行われた場合に、前記データの公開をキャンセルする通知を前記情報管理装置に送信することを特徴とする情報処理装置。
【請求項５】
前記通信手段は、前記他の情報処理装置に公開するデータの形式と異なる形式のデータを前記情報管理装置に送信することを特徴とする請求項１乃至４のいずれか１項に記載の情報処理装置。
【請求項６】
前記生成手段により生成された前記データに基づいて、前記他の情報処理装置に前記データが公開可能か否かを判別する判別手段を更に有し、
前記通信手段は、前記判別手段により前記データが公開可能なデータであると判別された場合に、前記データを前記情報管理装置に送信することを特徴とする請求項１乃至４のいずれか１項に記載の情報処理装置。
【請求項７】
前記生成手段により生成された前記データを前記他の情報処理装置に公開するか否かをユーザの操作により決定する決定手段を更に有し、
前記通信手段は、前記決定手段により前記データを公開すると決定された場合に、前記データを前記情報管理装置に送信することを特徴とする請求項１乃至４のいずれか１項に記載の情報処理装置。
【請求項８】
前記データを公開することを許可する通知は、前記データを識別する情報を含むことを特徴とする請求項１乃至７のいずれか１項に記載の情報処理装置。
【請求項９】
前記データを公開することを許可する通知は、前記データのファイル名の情報を含むことを特徴とする請求項１乃至７のいずれか１項に記載の情報処理装置。
【請求項１０】
第１の情報処理装置により生成されたデータを前記第１の情報処理装置から受信する通信手段と、
前記データに基づいて特定される、前記第１の情報処理装置と同じグループに属する第２の情報処理装置を管理する管理手段とを有し、
前記通信手段は、前記データを受信した後、前記第１の情報処理装置から他の情報処理装置に前記データを公開することを許可する通知を受信した場合、前記第２の情報処理装置に前記データを表示することを許可する通知を送信することを特徴とする情報管理装置。
【請求項１１】
第１の情報処理装置により生成されたデータと、前記第１の情報処理装置により設定された規定時間を前記第１の情報処理装置から受信する通信手段と、
前記データに基づいて特定される、前記第１の情報処理装置と同じグループに属する第２の情報処理装置を管理する管理手段とを有し、
前記通信手段は、前記規定時間を設定した後、前記第１の情報処理装置からキャンセル通知を受信することなく前記規定時間が経過した場合に、前記第２の情報処理装置に前記データを表示することを許可する通知を送信することを特徴とする情報管理装置。
【請求項１２】
第１の情報処理装置により生成されたデータを前記第１の情報処理装置から受信する通信手段と、
前記データに基づいて特定される、前記第１の情報処理装置と同じグループに属する第２の情報処理装置を管理する管理手段とを有し、
前記通信手段は、前記データを受信した後、前記データを前記第２の情報処理装置へ送信し、前記第１の情報処理装置から他の情報処理装置に前記データを公開することを許可する通知を受信した場合、前記第２の情報処理装置に前記データの表示を許可する通知を送信することを特徴とする情報管理装置。
【請求項１３】
前記データを表示することを許可する通知は、前記データを識別する情報を含むことを特徴とする請求項１０乃至１３のいずれか１項に記載の情報管理装置。
【請求項１４】
前記管理手段は、所定のテーブルを用いて、前記データを管理することを特徴とする請求項１０乃至１３のいずれか１項に記載の情報管理装置。
【請求項１５】
前記管理手段は、所定の保管場所を用いて、前記データを管理することを特徴とする請求項１０乃至１３のいずれか１項に記載の情報管理装置。
【請求項１６】
第１の情報処理装置により生成されたデータを前記第１の情報処理装置から受信する通信手段と、
前記データに基づいて特定される、前記第１の情報処理装置と同じグループに属する第２の情報処理装置を管理する管理手段とを有し、
前記通信手段は、前記データを受信した後、前記第１の情報処理装置から他の情報処理装置に前記データを公開することを許可する通知を受信した場合、前記第２の情報処理装置に前記データを表示することを許可する通知を送信することを特徴とする情報処理システム。
【請求項１７】
第１の情報処理装置により生成されたデータと、前記第１の情報処理装置により設定された規定時間を前記第１の情報処理装置から受信する通信手段と、
前記データに基づいて特定される、前記第１の情報処理装置と同じグループに属する第２の情報処理装置を管理する管理手段とを有し、
前記通信手段は、前記規定時間を設定した後、前記第１の情報処理装置からキャンセル通知を受信することなく前記規定時間が経過した場合に、前記第２の情報処理装置に前記データを表示することを許可する通知を送信することを特徴とする情報処理システム。
【請求項１８】
第１の情報処理装置により生成されたデータを前記第１の情報処理装置から受信する通信手段と、
前記データに基づいて特定される、前記第１の情報処理装置と同じグループに属する第２の情報処理装置を管理する管理手段とを有し、
前記通信手段は、前記データを受信した後、前記データを前記第２の情報処理装置へ送信し、前記第１の情報処理装置から他の情報処理装置に前記データを公開することを許可する通知を受信した場合、前記第２の情報処理装置に前記データの表示を許可する通知を送信することを特徴とする情報処理システム。
【請求項１９】
ユーザのデータ生成操作によりデータを生成する生成工程と、
前記データを情報管理装置へ送信する通信工程と、
前記データが生成されてからユーザによる公開キャンセル操作が可能な規定時間を設定する設定工程とを有し、
前記通信工程において、ユーザによるキャンセル操作が行われずに前記規定時間が経過した場合に、他の情報処理装置に前記データを公開することを許可する通知を前記情報管理装置に送信することを特徴とする制御方法。
【請求項２０】
ユーザのデータ生成操作によりデータを生成する生成工程と、
前記データを情報管理装置へ送信する通信工程と、
前記データが生成されてからユーザによる公開キャンセル操作が可能な規定時間を設定する設定工程とを有し、
前記通信工程において、前記規定時間の間にユーザによるキャンセル操作が行われた場合に、前記データの公開をキャンセルする通知を前記情報管理装置に送信することを特徴とする制御方法。
【請求項２１】
第１の情報処理装置により生成されたデータを前記第１の情報処理装置から受信する通信工程と、
前記データに基づいて特定される、前記第１の情報処理装置と同じグループに属する第２の情報処理装置を管理する管理工程とを有し、
前記通信工程において、前記データを受信した後、前記第１の情報処理装置から他の情報処理装置に前記データを公開することを許可する通知を受信した場合、前記第２の情報処理装置に前記データを表示することを許可する通知を送信することを特徴とする制御方法。
【請求項２２】
第１の情報処理装置により生成されたデータと、前記第１の情報処理装置により設定された規定時間を前記第１の情報処理装置から受信する通信工程と、
前記データに基づいて特定される、前記第１の情報処理装置と同じグループに属する第２の情報処理装置を管理する管理工程とを有し、
前記通信工程において、前記規定時間を設定した後、前記第１の情報処理装置からキャンセル通知を受信することなく前記規定時間が経過した場合に、前記第２の情報処理装置に前記データを表示することを許可する通知を送信することを特徴とする制御方法。
【請求項２３】
第１の情報処理装置により生成されたデータを前記第１の情報処理装置から受信する通信工程と、
前記データに基づいて特定される、前記第１の情報処理装置と同じグループに属する第２の情報処理装置を管理する管理工程とを有し、
前記通信工程において、前記データを受信した後、前記データを前記第２の情報処理装置へ送信し、前記第１の情報処理装置から他の情報処理装置に前記データを公開することを許可する通知を受信した場合、前記第２の情報処理装置に前記データの表示を許可する通知を送信することを特徴とする制御方法。
【請求項２４】
第１の情報処理装置により生成されたデータを前記第１の情報処理装置から受信する通信工程と、
前記データに基づいて特定される、前記第１の情報処理装置と同じグループに属する第２の情報処理装置を管理する管理工程とを有し、
前記通信工程において、前記データを受信した後、前記第１の情報処理装置から他の情報処理装置に前記データを公開することを許可する通知を受信した場合、前記第２の情報処理装置に前記データを表示することを許可する通知を送信することを特徴とする制御方法。
【請求項２５】
第１の情報処理装置により生成されたデータと、前記第１の情報処理装置により設定された規定時間を前記第１の情報処理装置から受信する通信工程と、
前記データに基づいて特定される、前記第１の情報処理装置と同じグループに属する第２の情報処理装置を管理する管理工程とを有し、
前記通信工程において、前記規定時間を設定した後、前記第１の情報処理装置からキャンセル通知を受信することなく前記規定時間が経過した場合に、前記第２の情報処理装置に前記データを表示することを許可する通知を送信することを特徴とする制御方法。
【請求項２６】
第１の情報処理装置により生成されたデータを前記第１の情報処理装置から受信する通信工程と、
前記データに基づいて特定される、前記第１の情報処理装置と同じグループに属する第２の情報処理装置を管理する管理工程とを有し、
前記通信工程において、前記データを受信した後、前記データを前記第２の情報処理装置へ送信し、前記第１の情報処理装置から他の情報処理装置に前記データを公開することを許可する通知を受信した場合、前記第２の情報処理装置に前記データの表示を許可する通知を送信することを特徴とする制御方法。
【請求項２７】
請求項１乃至請求項９のいずれか１項に記載の情報処理装置の各手段としてコンピュータを機能させることを特徴とするプログラム。
【請求項２８】
請求項１０乃至１５のいずれか１項に記載の情報管理装置の各手段としてコンピュータを機能させることを特徴とするプログラム。